【手続補正書】
【提出日】平成15年12月3日(2003.12.3)
【手続補正１】
【補正対象書類名】明細書
【補正対象項目名】全文
【補正方法】変更
【補正の内容】
【発明の名称】画像処理装置
【特許請求の範囲】
【請求項１】記録媒体に記録されたコマ画像を読み取り、読み取って得られた前記コマ画像のデジタル画像データに基づいて、記録材料に記録される画像のデジタル画像データを得る画像処理装置であって、
情報を表示する情報表示手段と、
前記読み取って得られた一連の複数の読取コマ画像、前記読み取って得られたコマ画像から選択され且つ少なくとも色バランスと濃度の補正条件を設定するための所定数の検定コマ画像、及び前記記録材料に記録される画像を表す出力コマ画像、のうち２つ以上を同時に前記情報表示手段に表示させる表示制御手段と、
を有する画像処理装置。
【請求項２】前記表示制御手段は、
前記読取コマ画像と前記検定コマ画像とを同時に表示させる場合、該読取コマ画像において該検定コマ画像に対応する範囲を示す表示を行い、
前記読取コマ画像と前記出力コマ画像とを同時に表示させる場合、該読取コマ画像において該出力コマ画像に対応する範囲を示す表示を行い、
前記検定コマ画像と前記出力コマ画像とを同時に表示させる場合、該検定コマ画像において該出力コマ画像に対応する範囲を示す表示を行うことを特徴とする請求項１記載の画像処理装置。
【請求項３】  前記表示制御手段は、
前記検定コマ画像と前記出力コマ画像とを同時に表示させる場合、
前記検定コマ画像に対して設定された少なくとも色バランスと濃度の補正条件に基づき補正されたコマ画像を前記出力コマ画像として表示することを特徴とする
請求項１又は請求項２に記載の画像処理装置。
【請求項４】  前記表示制御手段は、
オペレータが所定の指示を行なったときに、前記検定コマ画像に対して設定された少なくとも色バランスと濃度の補正条件に基づき補正されたコマ画像を前記出力コマ画像として表示することを特徴とする
請求項３に記載の画像処理装置。
【請求項５】  前記表示制御手段は、
前記対応する範囲を示す表示を、当該対応する範囲を囲む枠線を表示することにより行なうことを特徴とする
請求項２乃至請求項４の何れかに１項に記載の画像処理装置。
【請求項６】  前記表示制御手段は、
前記対応する範囲を示す表示を、当該対応する範囲のコマ画像の外側部分の色や濃度を、範囲外の色や濃度と異ならせて表示することにより行なうことを特徴とする
請求項２乃至請求項４の何れかに１項に記載の画像処理装置。
【請求項７】  前記表示制御手段は、
前記対応する範囲を示す表示を、当該対応する範囲のコマ画像の近傍に所定のマークを表示することにより行なうことを特徴とする
請求項２乃至請求項４の何れかに１項に記載の画像処理装置。
【請求項８】  前記記録媒体を、写真フィルムとしたことを特徴とする
請求項１乃至請求項７の何れか１項に記載の画像処理装置。
【請求項９】  前記記録媒体を、記録可能な追記型コンパクトディスクとしたことを特徴とする
請求項１乃至請求項７の何れか１項に記載の画像処理装置。
【請求項１０】  前記記録材料を、印画紙としたことを特徴とする
請求項１乃至請求項９の何れか１項に記載の画像処理装置。
【発明の詳細な説明】
【０００１】
【発明の属する技術分野】
本発明は、画像処理装置に係り、より詳しくは、記録媒体に記録されたコマ画像を読み取り、読み取って得られた前記コマ画像のデジタル画像データに基づいて、記録材料に記録される画像のデジタル画像データを得る画像処理装置に関する。
【０００２】
【従来の技術】
近年では、写真フィルムに記録されたコマ画像をＣＣＤ等の読取センサによって光電的に読み取り、該読み取りによって得られたデジタル画像データに対し拡大縮小や各種補正等の画像処理を実行し、画像処理済のデジタル画像データに基づき変調したレーザ光により記録材料へ画像をプリントする技術が知られている。
【０００３】
このようにＣＣＤ等の読取センサによりコマ画像をデジタル的に読み取る技術では、精度の良い画像読み取りを実現するために、コマ画像を予備的に読み取り（いわゆるプレスキャン）、コマ画像の濃度等に応じた読取条件（例えば、コマ画像に照射する光量やＣＣＤの電荷蓄積時間等）を決定し、そして、この決定した読取条件でコマ画像を再度読み取っていた（いわゆるファインスキャン）。また、このファインスキャンの実行前、実行完了後又は実行中に、各コマ画像の画像データについての画像処理条件の検定作業を行っていた。
【０００４】
この検定作業では、例えば、仮に設定した各コマ画像についての画像処理条件で各コマ画像の画像データを画像処理して得られた検定用画像をディスプレイに表示し、オペレータがこの検定用画像を目視で確認して、その画質、濃度、色バランス等が適正か否かを判定し、適正である場合は該画像処理条件を採用し、適正でない場合は画像処理条件を修正することで、各コマ画像についての画像処理条件を決定していた。
【０００５】
ところが、上記のような検定作業時には、その時点での検定対象の１コマのコマ画像のみをディスプレイに表示していたため、オペレータにとっては、該検定対象コマが１本の写真フィルムの全コマ（例えば、２４コマ）のうちのどのあたりのコマであるかを認識できず、該検定作業の進捗を把握することは困難であった。
【０００６】
また、最終的に記録材料へ画像をプリントする際に、所望の文字や予め作成された背景画像をコマ画像にはめ込み合成してプリントする技術が広く知られているが、特に、このようなプリントを実行する場合には、各コマ画像の検定作業を実行しながら、該検定作業で設定された画像処理条件に基づくコマ画像の最終プリントイメージ（例えば、所望の文字をはめ込み合成したコマ画像）を同時に参照したいという要望が強く上がっていた。
【０００７】
【発明が解決しようとする課題】
本発明は、上記問題点を解消するために成されたものであり、検定作業の実行にとって有用な複数種類のコマ画像を表示することで、検定作業の円滑化を図ることができる画像処理装置を提供することを目的とする。
【０００８】
【課題を解決するための手段】
上記目的を達成するために、請求項１記載の画像処理装置は、記録媒体に記録されたコマ画像を読み取り、読み取って得られた前記コマ画像のデジタル画像データに基づいて、記録材料に記録される画像のデジタル画像データを得る画像処理装置であって、情報を表示する情報表示手段と、前記読み取って得られた一連の複数の読取コマ画像、前記読み取って得られたコマ画像から選択され且つ少なくとも色バランスと濃度の補正条件を設定するための所定数の検定コマ画像、及び前記記録材料に記録される画像を表す出力コマ画像、のうち２つ以上を同時に前記情報表示手段に表示させる表示制御手段と、を有することを特徴とする。
【０００９】
また、請求項２記載の画像処理装置では、請求項１記載の画像処理装置において、前記表示制御手段は、前記読取コマ画像と前記検定コマ画像とを同時に表示させる場合、該読取コマ画像において該検定コマ画像に対応する範囲を示す表示を行い、前記読取コマ画像と前記出力コマ画像とを同時に表示させる場合、該読取コマ画像において該出力コマ画像に対応する範囲を示す表示を行い、前記検定コマ画像と前記出力コマ画像とを同時に表示させる場合、該検定コマ画像において該出力コマ画像に対応する範囲を示す表示を行うことを特徴とする。
さらに、請求項３記載の画像処理装置では、請求項１又は請求項２に記載の画像処理装置において、前記表示制御手段は、前記検定コマ画像と前記出力コマ画像とを同時に表示させる場合、前記検定コマ画像に対して設定された少なくとも色バランスと濃度の補正条件に基づき補正されたコマ画像を前記出力コマ画像として表示することを特徴とする。
また、請求項４記載の画像処理装置では、請求項３に記載の画像処理装置において、前記表示制御手段は、オペレータが所定の指示を行なったときに、前記検定コマ画像に対して設定された少なくとも色バランスと濃度の補正条件に基づき補正されたコマ画像を前記出力コマ画像として表示することを特徴とする。
さらに、請求項５記載の画像処理装置では、請求項２乃至請求項４の何れかに１項に記載の画像処理装置において、前記表示制御手段は、前記対応する範囲を示す表示を、当該対応する範囲を囲む枠線を表示することにより行なうことを特徴とする。
また、請求項６記載の画像処理装置では、請求項２乃至請求項４の何れかに１項に記載の画像処理装置において、前記表示制御手段は、前記対応する範囲を示す表示を、当該対応する範囲のコマ画像の外側部分の色や濃度を、範囲外の色や濃度と異ならせて表示することにより行なうことを特徴とする。
さらに、請求項７記載の画像処理装置では、請求項２乃至請求項４の何れかに１項に記載の画像処理装置において、前記表示制御手段は、前記対応する範囲を示す表示を、当該対応する範囲のコマ画像の近傍に所定のマークを表示することにより行なうことを特徴とする。
また、請求項８記載の画像処理装置では、請求項１乃至請求項７の何れか１項に記載の画像処理装置において、前記記録媒体を、写真フィルムとしたことを特徴とする。
さらに、請求項９記載の画像処理装置では、請求項１乃至請求項７の何れか１項に記載の画像処理装置において、前記記録媒体を、記録可能な追記型コンパクトディスクとしたことを特徴とする。
また、請求項１０記載の画像処理装置では、請求項１乃至請求項９の何れか１項に記載の画像処理装置において、前記記録材料を、印画紙としたことを特徴とする。
【００１０】
上記請求項１記載の画像処理装置では、記録媒体に記録されたコマ画像を読み取り、読み取って得られたコマ画像のデジタル画像データに基づいて、記録材料に記録される画像のデジタル画像データを得る。
なお、上記記録媒体としては、請求項８及び請求項９に記載の発明のように、写真フィルムやＣＤ−Ｒ（記録可能な追記型コンパクトディスク）等を適用することができる。
また、上記記録材料としては、請求項１０に記載の発明のように、印画紙を適用することができる。
【００１１】
本請求項１記載の画像処理装置では、以下の３種類のコマ画像のうち２つ以上を同時に表示制御手段によって情報表示手段（ディスプレイ）に表示させることを特徴とする。
【００１２】
（１）読み取って得られた一連の複数の読取コマ画像
（２）読み取って得られたコマ画像から選択され且つ少なくとも色バランスと濃度の補正条件を設定するための所定数の検定コマ画像
（３）記録材料に記録される画像を表す出力コマ画像
このうち（１）の読取コマ画像を情報表示手段に表示させることにより、オペレータは、記録媒体に記録された一連のコマ画像を一度にまとめて見ることができ、一連のコマ画像の概要を容易に把握することができる。
【００１３】
（２）の検定コマ画像は、オペレータによる検定処理時に少なくとも色バランスと濃度の補正条件を設定するために用いられるコマ画像であり、色バランスと濃度の補正条件以外にも、記録される画像の倍率、記録する画像の範囲、出力枚数等を設定するために用いても良い。
【００１４】
例えば、検定処理時に表示制御手段は、最初に、読み取って得られたコマ画像から選択された所定数のコマ画像を情報表示手段に表示させる。そして、オペレータにより、色バランスと濃度の補正条件が設定されると、検定対象のコマ画像に対し、該色バランスと濃度の補正条件に基づく補正を行い、補正完了後のコマ画像を情報表示手段に表示させる。
【００１５】
（３）の出力コマ画像は、記録材料に記録される最終出力イメージの画像を表しており、例えば、検定対象のコマ画像に対し色バランスと濃度の補正条件に基づく補正を完了したコマ画像や、該コマ画像に対し文字・記号や予め作成された背景画像の型（テンプレート）等をはめ込み合成した画像が挙げられる。
【００１６】
請求項１記載の発明では、以上のような検定作業の実行にとって有用な、（１）の読取コマ画像、（２）の検定コマ画像、（３）の出力コマ画像の３種類のコマ画像のうち２つ以上を同時に情報表示手段に表示させる。
【００１７】
上記３種類のコマ画像のうち、（１）の読取コマ画像と（２）の検定コマ画像とを同時に情報表示手段に表示することにより、（２）の検定コマ画像が（１）の複数の読取コマ画像の中でどれに相当し、１本の写真フィルムの全コマ（例えば、２４コマ）のうちのどのあたりのコマであるかを容易に認識することができ、検定作業の進捗を容易に把握することができる。なお、請求項２に記載したように、表示制御手段によって、（１）の読取コマ画像において（２）の検定コマ画像に対応する範囲を示す表示を行えば、（１）の読取コマ画像と（２）の検定コマ画像との対応関係をより容易に把握することが可能になる。
【００１８】
また、（１）の読取コマ画像と（３）の出力コマ画像とを同時に情報表示手段に表示した場合も、（３）の出力コマ画像が（１）の複数の読取コマ画像の中でどれに相当し、１本の写真フィルムの全コマ（例えば、２４コマ）のうちのどのあたりのコマであるかを容易に認識できる、という利点がある。
【００１９】
また、請求項３に記載したように、上記のような３種類のコマ画像のうち、（２）の検定コマ画像と（３）の出力コマ画像とを同時に情報表示手段に表示する場合、オペレータは、（２）の検定コマ画像に対する少なくとも色バランスと濃度の補正条件を設定しながら、リアルタイムに又は補正条件設定後の所定タイミングで、該補正条件に基づき補正されたコマ画像の最終出力イメージを参照することができ、検定作業を円滑に実行することができる。
なお、上記補正条件設定後の所定のタイミングとしては、請求項４に記載したように、オペレータが所定の指示を行なったとき等を適用することができる。
さらに、この場合も、請求項２に記載したように、表示制御手段によって、（２）の所定数の検定コマ画像において（３）の出力コマ画像に対応する範囲を示す表示を行えば、（２）の検定コマ画像と（３）の出力コマ画像との対応関係をより容易に把握することが可能になる。
【００２０】
以上のように、検定作業の実行にとって有用な、（１）の読取コマ画像、（２）の検定コマ画像、（３）の出力コマ画像の３種類のコマ画像のうち２つ以上を同時に情報表示手段に表示することにより、検定作業の円滑化を図ることができる。
【００２１】
なお、請求項２に記載された、対応する範囲を示す表示の方法としては、請求項５に記載したように、該対応する範囲を囲む枠線を表示しても良いし、請求項６に記載したように、該対応する範囲のコマ画像の外側部分の色や濃度を、範囲外の色や濃度と異ならせても良いし、請求項７に記載したように、該対応する範囲のコマ画像の近傍に所定のマークを表示しても良い。
【００２２】
【発明の実施の形態】
以下、図面を用いて、発明の実施形態を説明する。
【００２３】
［システム全体の概略構成］
まず、本実施形態に係るディジタルラボシステムについて説明する。図１には本実施形態に係るディジタルラボシステム１０の概略構成が示されており、図２にはディジタルラボシステム１０の外観が示されている。図１に示すように、このラボシステム１０は、ラインＣＣＤスキャナ１４、画像処理部１６、レーザプリンタ部１８、及びプロセッサ部２０を含んで構成されており、ラインＣＣＤスキャナ１４と画像処理部１６は、図２に示す入力部２６として一体化されており、レーザプリンタ部１８及びプロセッサ部２０は、図２に示す出力部２８として一体化されている。
【００２４】
ラインＣＣＤスキャナ１４は、ネガフィルムやリバーサルフィルム等の写真フィルムに記録されているコマ画像を読み取るためのものであり、例えば１３５サイズの写真フィルム、１１０サイズの写真フィルム、及び透明な磁気層が形成された写真フィルム（ＩＸ２４０サイズの写真フィルム：所謂ＡＰＳフィルム）、１２０サイズ及び２２０サイズ（ブローニサイズ）の写真フィルムのコマ画像を読取対象とすることができる。ラインＣＣＤスキャナ１４は、上記の読取対象のコマ画像をラインＣＣＤで読み取り、画像データを出力する。
【００２５】
画像処理部１６は、ラインＣＣＤスキャナ１４から出力された画像データ（スキャン画像データ）が入力されると共に、デジタルカメラでの撮影によって得られた画像データ、コマ画像以外の原稿（例えば反射原稿等）をスキャナで読み取ることで得られた画像データ、コンピュータで生成された画像データ等（以下、これらをファイル画像データと総称する）を外部から入力する（例えば、メモリカード等の記憶媒体を介して入力したり、通信回線を介して他の情報処理機器から入力する等）ことも可能なように構成されている。
【００２６】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えばメモリカード等の記憶媒体に出力したり、通信回線を介して他の情報処理機器へ送信する等）ことも可能とされている。
【００２７】
レーザプリンタ部１８はＲ、Ｇ、Ｂのレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００２８】
［ラインＣＣＤスキャナの構成］
次にラインＣＣＤスキャナ１４の構成について説明する。図３にはラインＣＣＤスキャナ１４の光学系の概略構成が示されている。この光学系は、ハロゲンランプやメタルハライドランプ等から成り写真フィルム２２に光を照射する光源３０を備えており、光源３０の光射出側には、写真フィルム２２に照射する光を拡散光とする光拡散ボックス３６が順に配置されている。
【００２９】
写真フィルム２２は、光拡散ボックス３６の光射出側に配置されたフィルムキャリア３８（図５参照、図３では図示省略）によって、コマ画像の画面が光軸と垂直になるように搬送される。なお、図３では長尺状の写真フィルム２２を示しているが、１コマ毎にスライド用のホルダに保持されたスライドフィルム（リバーサルフィルム）やＡＰＳフィルムについては、各々専用のフィルムキャリアが用意されており（ＡＰＳフィルム用のフィルムキャリアは磁気層に磁気記録された情報を読み取る磁気ヘッドを有している）、これらの写真フィルムも搬送することが可能とされている。
【００３０】
また、光源３０と光拡散ボックス３６との間には、Ｃ（シアン）、Ｍ（マゼンダ）、Ｙ（イエロー）の調光フィルタ１１４Ｃ、１１４Ｍ、１１４Ｙが射出光の光軸に沿って順に設けられており、写真フィルム２２を挟んで光源３０と反対側には、光軸に沿って、コマ画像を透過した光を結像させるレンズユニット４０、ラインＣＣＤ１１６が順に配置されている。図３ではレンズユニット４０として単一のレンズのみを示しているが、レンズユニット４０は、実際には複数枚のレンズから構成されたズームレンズであってもよい。
【００３１】
ラインＣＣＤ１１６は、ＣＣＤセルが一列に多数配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。ラインＣＣＤ１１６は、各センシング部の受光面がレンズユニット４０の結像点位置に一致するように配置されている。
【００３２】
また、各センシング部の近傍には転送部が各センシング部に対応して各々設けられており、各センシング部の各ＣＣＤセルに蓄積された電荷は、対応する転送部を介して順に転送される。また図示は省略するが、ラインＣＣＤ１１６とレンズユニット４０との間にはシャッタが設けられている。
【００３３】
図４にはラインＣＣＤスキャナ１４の電気系の概略構成が示されている。ラインＣＣＤスキャナ１４は、ラインＣＣＤスキャナ１４全体の制御を司るマイクロプロセッサ４６を備えている。マイクロプロセッサ４６には、バス６２を介してＲＡＭ６４（例えばＳＲＡＭ）、ＲＯＭ６６（例えば記憶内容を書換え可能なＲＯＭ）が接続されていると共に、モータドライバ４８が接続されており、モータドライバ４８にはフィルタ駆動モータ５４が接続されている。フィルタ駆動モータ５４は調光フィルタ１１４Ｃ、１１４Ｍ、１１４Ｙを各々独立にスライド移動させることが可能とされている。
【００３４】
マイクロプロセッサ４６は、図示しない電源スイッチのオンオフに連動して光源３０を点消灯させる。また、マイクロプロセッサ４６は、ラインＣＣＤ１１６によるコマ画像の読み取り（測光）を行う際に、フィルタ駆動モータ５４によって調光フィルタ１１４Ｃ、１１４Ｍ、１１４Ｙを各々独立にスライド移動させ、ラインＣＣＤ１１６に入射される光量を各成分色光毎に調節する。
【００３５】
またモータドライバ４８には、レンズユニット４０の複数枚のレンズの位置を相対的に移動させることでレンズユニット４０のズーム倍率を変更するズーム駆動モータ７０、レンズユニット４０全体を移動させることでレンズユニット４０の結像点位置を光軸に沿って移動させるレンズ駆動モータ１０６が接続されている。マイクロプロセッサ４６は、コマ画像のサイズやトリミングを行うか否か等に応じて、ズーム駆動モータ７０によってレンズユニット４０のズーム倍率を所望の倍率に変更する。
【００３６】
一方、ラインＣＣＤ１１６にはタイミングジェネレータ７４が接続されている。タイミングジェネレータ７４は、ラインＣＣＤ１１６や後述するＡ／Ｄ変換器８２等を動作させるための各種のタイミング信号（クロック信号）を発生する。ラインＣＣＤ１１６の信号出力端は、増幅器７６を介してＡ／Ｄ変換器８２に接続されており、ラインＣＣＤ１１６から出力された信号は、増幅器７６で増幅されＡ／Ｄ変換器８２でディジタルデータに変換される。
【００３７】
Ａ／Ｄ変換器８２の出力端は、相関二重サンプリング回路（ＣＤＳ）８８を介してインタフェース（Ｉ／Ｆ）回路９０に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００３８】
なお、ラインＣＣＤ１１６からはＲ、Ｇ、Ｂの測光信号が並列に出力されるので、増幅器７６、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に出力される。
【００３９】
また、モータドライバ４８にはシャッタを開閉させるシャッタ駆動モータ９２が接続されている。ラインＣＣＤ１１６の暗出力については、後段の画像処理部１６で補正されるが、暗出力レベルは、コマ画像の読み取りを行っていないときに、マイクロプロセッサ４６がシャッタを閉止させることで得ることができる。
【００４０】
［画像処理部の構成］
次に画像処理部１６の構成について図５を参照して説明する。画像処理部１６は、ラインＣＣＤスキャナ１４に対応してラインスキャナ補正部１２２が設けられている。ラインスキャナ補正部１２２は、ラインＣＣＤスキャナ１４から並列に出力されるＲ、Ｇ、Ｂの画像データに対応して、暗補正回路１２４、欠陥画素補正部１２８、及び明補正回路１３０から成る信号処理系が３系統設けられている。
【００４１】
暗補正回路１２４は、ラインＣＣＤ１１６の光入射側がシャッタにより遮光されている状態で、ラインＣＣＤスキャナ１４から入力されたデータ（ラインＣＣＤ１１６のセンシング部の各セルの暗出力レベルを表すデータ）を各セル毎に記憶しておき、ラインＣＣＤスキャナ１４から入力されたスキャン画像データから、各画素毎に対応するセルの暗出力レベルを減ずることによって補正する。
【００４２】
また、ラインＣＣＤ１１６の光電変換特性は各セル単位でのばらつきもある。欠陥画素補正部１２８の後段の明補正回路１３０では、ラインＣＣＤスキャナ１４に画面全体が一定濃度の調整用のコマ画像がセットされている状態で、ラインＣＣＤ１１６で前記調整用のコマ画像を読み取ることによりラインＣＣＤスキャナ１４から入力された調整用のコマ画像の画像データ（この画像データが表す各画素毎の濃度のばらつきは各セルの光電変換特性のばらつきに起因する）に基づいて各セル毎にゲインを定めておき、ラインＣＣＤスキャナ１４から入力された読取対象のコマ画像の画像データを、各セル毎に定めたゲインに応じて各画素毎に補正する。
【００４３】
一方、調整用のコマ画像の画像データにおいて、特定の画素の濃度が他の画素の濃度と大きく異なっていた場合には、ラインＣＣＤ１１６の前記特定の画素に対応するセルには何らかの異常があり、前記特定の画素は欠陥画素と判断できる。欠陥画素補正部１２８は調整用のコマ画像の画像データに基づき欠陥画素のアドレスを記憶しておき、ラインＣＣＤスキャナ１４から入力された読取対象のコマ画像の画像データのうち、欠陥画素のデータについては周囲の画素のデータから補間してデータを新たに生成する。
【００４４】
また、ラインＣＣＤ１１６は３本のライン（ＣＣＤセル列）が写真フィルム２２の搬送方向に沿って所定の間隔を空けて順に配置されているので、ラインＣＣＤスキャナ１４からＲ、Ｇ、Ｂの各成分色の画像データの出力が開始されるタイミングには時間差がある。ラインスキャナ補正部１２２は、コマ画像上で同一の画素のＲ、Ｇ、Ｂの画像データが同時に出力されるように、各成分色毎に異なる遅延時間で画像データの出力タイミングの遅延を行う。
【００４５】
ラインスキャナ補正部１２２の出力端はセレクタ１３２の入力端に接続されており、補正部１２２から出力された画像データはセレクタ１３２に入力される。また、セレクタ１３２の入力端は入出力コントローラ１３４のデータ出力端にも接続されており、入出力コントローラ１３４からは、外部から入力されたファイル画像データがセレクタ１３２に入力される。セレクタ１３２の出力端は入出力コントローラ１３４、イメージプロセッサ部１３６Ａ、１３６Ｂのデータ入力端に各々接続されている。セレクタ１３２は、入力された画像データを、入出力コントローラ１３４、イメージプロセッサ部１３６Ａ、１３６Ｂの各々に選択的に出力可能とされている。
【００４６】
イメージプロセッサ部１３６Ａは、メモリコントローラ１３８、イメージプロセッサ１４０、３個のフレームメモリ１４２Ａ、１４２Ｂ、１４２Ｃを備えている。フレームメモリ１４２Ａ、１４２Ｂ、１４２Ｃは各々１フレーム分のコマ画像の画像データを記憶可能な容量を有しており、セレクタ１３２から入力された画像データは３個のフレームメモリ１４２の何れかに記憶されるが、メモリコントローラ１３８は、入力された画像データの各画素のデータが、フレームメモリ１４２の記憶領域に一定の順序で並んで記憶されるように、画像データをフレームメモリ１４２に記憶させる際のアドレスを制御する。
【００４７】
イメージプロセッサ１４０は、フレームメモリ１４２に記憶された画像データを取込み、階調変換、色変換、画像の超低周波輝度成分の階調を圧縮するハイパートーン処理、粒状を抑制しながらシャープネスを強調するハイパーシャープネス処理等の各種の画像処理を行う。なお、上記の画像処理の処理条件は、オートセットアップエンジン１４４（後述）によって自動的に演算され、演算された処理条件に従って画像処理が行われる。イメージプロセッサ１４０は入出力コントローラ１３４に接続されており、画像処理を行った画像データは、フレームメモリ１４２に一旦記憶された後に、所定のタイミングで入出力コントローラ１３４へ出力される。なお、イメージプロセッサ部１３６Ｂは、上述したイメージプロセッサ部１３６Ａと同一の構成であるので説明を省略する。
【００４８】
ところで、本実施形態では個々のコマ画像に対し、ラインＣＣＤスキャナ１４において異なる解像度で２回の読み取りを行う。１回目の比較的低解像度での読み取り（以下、プレスキャンという）では、コマ画像の濃度が極端に低い場合（例えばネガフィルムにおける露光オーバのネガ画像）にも、ラインＣＣＤ１１６で蓄積電荷の飽和が生じないように決定した読取条件（写真フィルムに照射する光のＲ、Ｇ、Ｂの各波長域毎の光量、ＣＣＤの電荷蓄積時間）でコマ画像の読み取りが行われる。このプレスキャンによって得られた画像データ（プレスキャン画像データ）は、セレクタ１３２から入出力コントローラ１３４に入力され、更に入出力コントローラ１３４に接続されたオートセットアップエンジン１４４に出力される。
【００４９】
オートセットアップエンジン１４４は、ＣＰＵ１４６、ＲＡＭ１４８（例えばＤＲＡＭ）、ＲＯＭ１５０（例えば記憶内容を書換え可能なＲＯＭ）、入出力ポート１５２を備え、これらがバス１５４を介して互いに接続されて構成されている。
【００５０】
オートセットアップエンジン１４４は、入出力コントローラ１３４から入力された複数コマ分のコマ画像のプレスキャン画像データに基づいて、ラインＣＣＤスキャナ１４による２回目の比較的高解像度での読み取り（以下、ファインスキャンという）によって得られた画像データ（ファインスキャン画像データ）に対する画像処理の処理条件を演算し、演算した処理条件をイメージプロセッサ部１３６のイメージプロセッサ１４０へ出力する。この画像処理の処理条件の演算では、撮影時の露光量、撮影光源種やその他の特徴量から類似のシーンを撮影した複数のコマ画像が有るか否か判定し、類似のシーンを撮影した複数のコマ画像が有った場合には、これらのコマ画像のファインスキャン画像データに対する画像処理の処理条件が同一又は近似するように決定する。
【００５１】
なお、画像処理の最適な処理条件は、画像処理後の画像データを、レーザプリンタ部１８における印画紙への画像の記録に用いるのか、外部へ出力するのか等によっても変化する。画像処理部１６には２つのイメージプロセッサ部１３６Ａ、１３６Ｂが設けられているので、例えば、画像データを印画紙への画像の記録に用いると共に外部へ出力する等の場合には、オートセットアップエンジン１４４は各々の用途に最適な処理条件を各々演算し、イメージプロセッサ部１３６Ａ、１３６Ｂへ出力する。これにより、イメージプロセッサ部１３６Ａ、１３６Ｂでは、同一のファインスキャン画像データに対し、互いに異なる処理条件で画像処理が行われる。
【００５２】
更に、オートセットアップエンジン１４４は、入出力コントローラ１３４から入力されたコマ画像のプレスキャン画像データに基づいて、レーザプリンタ部１８で印画紙に画像を記録する際のグレーバランス等を規定する画像記録用パラメータを算出し、レーザプリンタ部１８に記録用画像データ（後述）を出力する際に同時に出力する。また、オートセットアップエンジン１４４は、外部から入力されるファイル画像データに対しても、上記と同様にして画像処理の処理条件を演算する。
【００５３】
入出力コントローラ１３４はＩ／Ｆ回路１５６を介してレーザプリンタ部１８に接続されている。画像処理後の画像データを印画紙への画像の記録に用いる場合には、イメージプロセッサ部１３６で画像処理が行われた画像データは、入出力コントローラ１３４からＩ／Ｆ回路１５６を介し記録用画像データとしてレーザプリンタ部１８へ出力される。また、オートセットアップエンジン１４４はパーソナルコンピュータ１５８に接続されている。画像処理後の画像データを画像ファイルとして外部へ出力する場合には、イメージプロセッサ部１３６で画像処理が行われた画像データは、入出力コントローラ１３４からオートセットアップエンジン１４４を介してパーソナルコンピュータ１５８に出力される。
【００５４】
パーソナルコンピュータ１５８は、ＣＰＵ１６０、メモリ１６２、ディスプレイ１６４、キーボード１６６（図２も参照、図８を用いて後述する）、マウス１７７、ハードディスク１６８、ＣＤ−ＲＯＭドライバ１７０、搬送制御部１７２、拡張スロット１７４、及び画像圧縮／伸長部１７６を備えており、これらがバス１７８を介して互いに接続されて構成されている。搬送制御部１７２はフィルムキャリア３８に接続されており、フィルムキャリア３８による写真フィルム２２の搬送を制御する。また、フィルムキャリア３８にＡＰＳフィルムがセットされた場合には、フィルムキャリア３８がＡＰＳフィルムの磁気層から読み取った情報（例えば画像記録サイズ等）が入力される。
【００５５】
また、メモリカード等の記憶媒体に対してデータの読出し／書込みを行うドライバ（図示省略）や、他の情報処理機器と通信を行うための通信制御装置は、拡張スロット１７４を介してパーソナルコンピュータ１５８に接続される。入出力コントローラ１３４から外部への出力用の画像データが入力された場合には、前記画像データは拡張スロット１７４を介して画像ファイルとして外部（前記ドライバや通信制御装置等）に出力される。また、拡張スロット１７４を介して外部からファイル画像データが入力された場合には、入力されたファイル画像データは、オートセットアップエンジン１４４を介して入出力コントローラ１３４へ出力される。この場合、入出力コントローラ１３４では入力されたファイル画像データをセレクタ１３２へ出力する。
【００５６】
なお、画像処理部１６は、プレスキャン画像データ等をパーソナルコンピュータ１５８に出力し、ラインＣＣＤスキャナ１４で読み取られたコマ画像をディスプレイ１６４に表示したり、印画紙に記録することで得られる画像を推定してディスプレイ１６４に表示し、キーボード１６６を介してオペレータにより画像の修正等が指示されると、これを画像処理の処理条件に反映することも可能とされている。
【００５７】
また、上記では、ラインＣＣＤスキャナ１４において、個々のコマ画像に対し異なる解像度で２回の読み取りを行う例を記載したが、個々のコマ画像に対し高解像度で１回のみ読み取りを行っても良い。
【００５８】
［検定作業時の画面表示について］
本実施形態のマイコン１５８は、検定作業時において、図６に示すように、プレスキャンで読み取ったコマ画像を１２コマずつ表示したフィルムモニタ画像２０２と、フィルムモニタ画像２０２のうち検定作業の対象として４コマずつ順に表示した検定画像２０４と、検定作業済のコマ画像に予めオペレータが作成した文字列２１４やテンプレート等をはめ込み合成した最終出力イメージとしてのプリントプレビュー画像２０６との計３種類の画像のうち、指示に応じて２種類以上の画像を、同時にディスプレイ１６４に表示できるよう構成されている。
【００５９】
また、１２コマのコマ画像を含むフィルムモニタ画像２０２には、検定画像２０４の４コマのコマ画像に対応する範囲を示す枠線２０８と、プリントプレビュー画像２０６の１コマのコマ画像に対応するコマ画像を示す枠線２１０とが表示される。これらの枠線２０８、２１０により、検定画像２０４の４コマ及びプリントプレビュー画像２０６の１コマがフィルムモニタ画像２０２のどれに相当するかをオペレータは容易に把握することができる。
【００６０】
さらに、４コマのコマ画像を含む検定画像２０４には、プリントプレビュー画像２０６の１コマのコマ画像に対応するコマ画像を示す枠線２１２が表示される。この枠線２１２により、プリントプレビュー画像２０６の１コマが検定画像２０４のどれに相当するかをオペレータは容易に把握することができる。
【００６１】
次に、図７を用いて、検定作業時の画面表示を詳細に説明する。図７には、検定作業時にプリントプレビュー画像２０６と検定画像２０４の２種類の画像を同時し、このうち検定画像２０４に１つの対象コマ画像２３０を表示した表示例２００Ｓを示している。
【００６２】
この検定画像２０４には、その中央に対象のコマ画像２３０が表示され、コマ画像２３０の左下には、表示されるコマ画像全体を、所定点（例えば、コマ画像２３０の中心点）を中心に時計回りに回転させるための第１の回転指示部２３４が、コマ画像２３０の右下には、表示されるコマ画像全体を、所定点を中心に反時計回りに回転させるための第２の回転指示部２３６が、それぞれ設けられている。例えば、表示されるコマ画像全体を時計回りに所定角度だけ回転させたい場合、オペレータは、マウス１７７で第１の回転指示部２３４をポイントし、このポイントにより画面上で回転するコマ画像が所定角度だけ回転した時点でマウス１７７の押し下げを停止することにより、コマ画像全体を画面上で時計回りに所定角度だけ回転させることができる。
【００６３】
また、コマ画像２３０の右側には、プリント倍率又は画像のトリミング倍率を指定するための倍率指定部２３８、シアン色の色補正を行うためのＣ色補正部２４０、マゼンタ色の色補正を行うためのＭ色補正部２４２、黄色の色補正を行うためのＹ色補正部２４４、画像全体の濃度補正を行うための濃度補正部２４６、及びプリント枚数を指定するための枚数指定部２４８が設けられており、これらの各補正部や指示部における右側のパラメータ値調整部（上向き矢印が表示された数値増加部と下向き矢印が表示された数値減少部）をマウス１７７で以下のように操作することにより、各種補正や指示を行うことができる。例えば、画像全体の濃度をもっと低くしたい場合、オペレータは、濃度補正部２４６の数値減少部２４６Ｂをマウス１７７でクリックする。１回のクリックで、画面に表示された濃度値（例えば、濃度値「１」）が１つ減少するので、濃度値が適度な値になった時点でマウス１７７のクリックを停止することにより、画像全体の濃度を適度な値に設定することができる。
【００６４】
また、コマ画像２３０では、プリント出力したい画像領域を示す領域設定枠２３２を、該領域設定枠２３２の上下左右の４隅の拡縮ハンドル２３２Ａ、２３２Ｂ、２３２Ｃ、２３２Ｄをマウス１７７で移動することにより、設定することができる。このとき、縦横の比（＝アスペクト比）は一定に保持しつつ領域設定枠２３２を設定することができる。
【００６５】
なお、上記領域設定枠２３２のアスペクト比は、プリントサイズ（Ｃ、Ｈ、Ｐサイズの何れか）に応じて設定可能とされている。また、前述したコマ画像の回転中心も、コマ画像２３０の中心点以外に、領域設定枠２３２の中心点やその他任意の点に設定可能とされている。
【００６６】
その他、検定処理用の補助画面として、フィルムキャリアやマスク等の画像の読取（入力）に係る機器の情報を表示する入力機情報表示画面２１６、プリンタやプロセサー等の画像のプリント出力に係る機器の情報を表示する出力機情報表示画面、入力される画像を記録した写真フィルムの情報を表示する入力画像情報表示画面、画像をプリントする印画紙等の情報を表示する出力画像情報表示画面２２０、及びインデックスプリントを作成するか否か等のプリント処理の制御に関する情報を設定・表示するためのシステム設定情報画面２１８が設けられており、これらの各種の補助画面を表示させるためのアイコンがそれぞれに設けられている。図７には、入力画像情報表示画面用のアイコン２２２と出力機情報表示画面用のアイコン２２４とを示している。
【００６７】
また、フィルムモニタ画像、検定画像、プリントプレビュー画像のそれぞれを表示させるためのアイコンも設けられており、図７には、フィルムモニタ画像用アイコン２２６を示している。
【００６８】
［キーボードの構成］
図８には、本実施形態におけるキーボード１６６の構成図を示す。このキーボード１６６には、プリント動作の開始・停止等の動作を指示するためのコマンドキー（１）、色バランスや濃度補正等で補正の度合いを指示するためのフィールド選択キー（２）、項目選択等を行うためのコントローラー移動キー（３）、フィルムの移動を指示するためのフィルム移動キー（４）、その他のファンクションキー（５）の計５種類のキーが設けられている。
【００６９】
このうちコマンドキー（１）としては、プリント動作を停止させるためのプリントストップキー３６２、全自動モードのスキャン動作を停止させるためのスキャンキャンセルキー３６４、プリントの受付番号の更新やカラーペーパーへのソートマークの付加等を指示するソートキー３６６、ヘルプ画面を表示させるためのヘルプキー３１２、オートキャリアのフィルム送り動作の全自動／半自動／手動を切り替えるためのフィルムドライブキー３２２、標準サイズ・パノラマサイズ・ハイビジョンサイズの画像が１つのフィルムに混在している場合にフィルムサイズを切り替えるためのサイズ切替キー３２４、出力するプリントサイズを選択するためのプリントサイズ選択キー３３６、色バランスや画像濃度の補正条件やプリント枚数の条件の保持を指示するためのホールドキー３３４、及びプリント動作を開始させるためのスタートキー３７８が設けられている。
【００７０】
また、フィールド選択キー（２）としては、プリント枚数を指定する際に操作される枚数焼キー３４８、シアン色について色補正を指示するためのＣ色補正キー３１６、３２８、マゼンタ色について色補正を指示するためのＭ色補正キー３１８、３３０、黄色について色補正を指示するためのＹ色補正キー３２０、３３２、及び濃度補正を指示するための濃度補正キー３３８、３４０、３４２、３４４、３４６が設けられており、上記のうち１０個のキー３３８、３４０、３４２、３４４、３２８、３３０、３３２、３１６、３１８、３２０は順に０〜９の数字を表すキーと共用されている。これら１０個のキーは、検定画像２３０が選択されている場合、色補正キーや濃度補正キーとして機能し、濃度補正フィールド２４６が選択されている場合、数字を表すキーとして機能する。
【００７１】
なお、カラーキーキャンセルキー３５０を操作することにより、上記１０個のキーで入力された色補正の値がキャンセルされ、Ｎキー３４２を操作することにより、上記濃度補正キーで入力された濃度補正値がキャンセルされる。
【００７２】
また、検定作業にて色補正や濃度補正を指示する場合、オペレータは上記キーボード１６６の各種色補正キーや濃度補正キーを操作しても良いし、前述した図７の検定画像２０４に表示された各種色補正部２４０、２４２、２４４や濃度補正部２４６をマウス１７７でポイントしても良い。
【００７３】
また、コントローラー移動キー（３）としては、ウインドウ内の入力枠の選択やプルダウンメニューの移動を指示するフィールド移動キー３７６、それぞれ上下左右方向の項目を選択するための上向き矢印キー３６８、下向き矢印キー３７２、左向き矢印キー３７０、右向き矢印キー３７４が設けられており、前述したスタートキー３７８は入力操作の決定（例えば、検定完了など）やファインスキャン開始指示等でも使用される。
【００７４】
また、フィルム移動キー（４）としては、選択中の検定画像を低速で左送りするための左送りキー３５２、選択中の検定画像を低速で右送りするための右送りキー３５８、検定画像の選択を１コマ戻すためのコマ戻しキー３５４、検定画像の選択を１コマ送るためのコマ送りキー３５６、及び選択中の検定画像を枚数０として検定画像の選択を１コマ送るためのパスキー３６０が設けられており、前述したスキャンキャンセルキー３６４はフィルムがロードされている状態から巻き戻す場合に、スタートキー３７８はフィルムが装填され且つ未ロードの状態からロードする場合に、それぞれ使用される。
【００７５】
さらに、ファンクションキー（５）としては、同時押し下げにより他のキーの機能割り当てを変更するためのシフトキー３２６やオルトキー３１４、及び画面／モードに応じた各種機能を割り当て可能なファンクションキー３０２、３０４、３０６、３０８、３１０が設けられている。
【００７６】
［本実施形態の作用］
次に、本実施形態の作用として、プレスキャン、ファインスキャン、検定作業時に、パソコン１５８のＣＰＵ１６０によって実行される制御ルーチン（図９）を説明する。なお、読取対象の画像が記録されたフィルム２２としては、ＡＰＳフィルムでも良いし、１３５フィルム等のその他のフィルムでも良い。
【００７７】
オペレータがフィルム２２をフィルムキャリア３８の挿入口３８Ａ（図２参照）に挿入して、キーボード１６６のスタートキー３７８を操作すると、図９の制御ルーチンがＣＰＵ１６０によって実行開始される。
【００７８】
図９のステップ４０２では、フィルム２２をフィルムキャリア３８の内部へ取り込み、次のステップ４０４で１コマ目から順にプレスキャンを開始する。そして、次のステップ４０６ではプレスキャンで得られた各コマ画像の画像データより、各コマ画像に対するファインスキャン時の読取条件を設定する。このようにしてフィルム２２の各コマ画像に対し、プレスキャンと、ファインスキャン時の読取条件の設定とを実行していく。
【００７９】
そして、全コマ画像に対しプレスキャン及びファインスキャン時の読取条件の設定が完了すると、ステップ４１０へ進み、プレスキャンを停止する。
【００８０】
次のステップ４１２では、フィルムモニタ画像２０２（図６参照）として、最後にプレスキャンを行った所定数（例えば、１２コマ）のコマ画像を表示すると共に、最後にプレスキャンを行った４コマのコマ画像を検定画像２０４（図６参照）として表示する。また、ステップ４１２では、検定画像２０４にて検定対象となっているコマ画像を枠線２１２で囲むと共に、フィルムモニタ画像２０２にて検定対象となっているコマ画像を枠線２１０で囲む。また、フィルムモニタ画像２０２にて、検定画像２０４の４コマのコマ画像に対応する範囲を枠線２０８で囲む。そして、次のステップ４１４で検定開始を促すメッセージをディスプレイ１６４に表示して、オペレータに検定処理させる。
【００８１】
例えば、オペレータは、Ｙ色やＭ色に対し相対的にＣ色の濃度をもっと高くしたい場合、図７の検定画像２０４に表示されたＣ色補正部２４０の数値増加部２４０Ａをマウス１７７でポイントするか、又は、図８のキーボード１６６のＣ色補正キー３２８を操作する。
【００８２】
次のステップ４１６では、検定処理で色バランスや画像全体の濃度の補正条件が入力されたか否かを判定し、入力されたときにはステップ４１８へ進み、入力された補正条件に基づいて検定対象のコマ画像に対し補正を行う。そして、次のステップ４２０で補正済のコマ画像を検定画像２０４とプリントプレビュー画像２０６に表示してステップ４１６へ戻る。その後、再び色バランスや画像全体の濃度の補正条件が入力された場合は、再度ステップ４１８、４２０の処理を実行する。
【００８３】
このようにプリントプレビュー画像２０６には、検定処理にて色バランスや画像全体の濃度の補正条件が入力される度に、該入力された補正条件に基づき補正されたコマ画像の最終出力イメージがリアルタイムに表示される。なお、検定対象のコマ画像の元のイメージについては、フィルムモニタ画像２０２により参照することができる。
【００８４】
オペレータは、スタートキー３７８を操作することで、対象のコマ画像の検定完了を指示する。オペレータにより検定完了が指示されると、ステップ４２４へ進み、検定画像２０４の４コマのコマ画像の全てに対し検定作業が完了したか否かを判定する。ここで、未完了であれば、ステップ４２６へ進み、検定画像２０４において４コマのうち次の検定対象コマへ枠線２１２を移動し且つフィルムモニタ画像２０２において次の検定対象コマへ枠線２１０を移動して、次の検定対象コマを容易に判別できるようにする。そして、ステップ４１６へ戻り、次の検定対象コマに対する色バランスや画像全体の濃度の補正条件の入力待ちを行う。
【００８５】
このようにして検定画像２０４の４コマのコマ画像に対し、１コマずつ検定作業を実行していく。そして、４コマとも検定作業が完了するに至る。この時点でオペレータは、４コマのコマ画像を、後述するファインスキャン完了後にプリントするよう指示することができる。
【００８６】
そして、ステップ４２８へ進み、上記検定作業が完了した４コマ（最初は、プレスキャンが最後に行われた４コマ）に対してファインスキャンを実行する。このように、ファインスキャンは、フィルム２２を巻き戻しながら、プレスキャンとは逆のコマ順に実行される。
【００８７】
なお、オペレータによって、４つのコマ画像をファインスキャン完了後にプリントするよう指示されていた場合には、対象の４つのコマ画像のファインスキャン完了後に、ファインスキャンで得られたデジタル画像データに基づく画像が、図２の出力部２８によりプリント出力される。
【００８８】
次のステップ４３０では、全コマに対し検定作業とファインスキャンとが完了したか否かを判定する。全コマについては検定作業とファインスキャンとが未完了であれば、ステップ４１２へ戻り、次の４つのコマ画像の検定作業へ移行する。
【００８９】
このようにして全コマに対し検定作業とファインスキャンとを４コマずつ実行していき、全コマに対し検定作業とファインスキャンとが完了した時点で、図９の制御ルーチンを終了する。なお、ファインスキャンはフィルム２２を巻き戻しながら実行していたため、全コマのファインスキャン完了をもってフィルム２２の巻き戻しも完了し、フィルム２２はフィルムキャリア３８より排出される。
【００９０】
以上説明した制御ルーチンでは、検定処理時に、フィルムモニタ画像２０２、検定画像２０４及びプリントプレビュー画像２０６の３種類の画像をディスプレイ１６４に同時に表示するとともに、フィルムモニタ画像２０２において検定画像２０４の４コマに対応する範囲を枠線２０８で表示する。また、フィルムモニタ画像２０２においてプリントプレビュー画像２０６に対応するコマ画像を枠線２１０で、検定画像２０４においてプリントプレビュー画像２０６に対応するコマ画像を枠線２１２で、それぞれ表示する。
【００９１】
これにより、オペレータは、現在検定中のコマ画像が全コマのうちどのあたりのコマであるかを容易に認識することができる。また、プリントプレビュー画像２０６で最終プリントイメージを参照しながら、検定画像２０４において検定作業を行うことができる。
【００９２】
なお、上記実施形態では、検定処理で色バランスや画像全体の濃度の補正条件が入力される度に、該入力された補正条件に基づき補正されたコマ画像の出力イメージをプリントプレビュー画像２０６にリアルタイムに表示する例を示したが、入力された補正条件に基づき補正されたコマ画像は検定画像２０４にのみ表示し、プリントプレビュー画像２０６にはオペレータが所定の指示を行ったときに最終プリント出力イメージを表示するように制御しても良い。
【００９３】
また、上記実施形態では、フィルム２２に記録された画像をラインＣＣＤにより読み取る例について説明したが、エリアＣＣＤにより読み取っても良い。エリアＣＣＤを用いる場合には、フィルムモニタ画像２０２として該エリアＣＣＤにより読み取った画像をそのまま表示することで、キャリアやマスク上のフィルムの位置合わせのために、フィルムモニタ画像２０２を利用することができる。
【００９４】
また、上記実施形態では、フィルムモニタ画像２０２として、フィルム２２のプレスキャンにより得られたコマ画像をプレスキャン終了後に表示していたが、フィルム２２に対しプレスキャンとファインスキャンの両方が終了した後、ファインスキャンにより得られたコマ画像を表示しても良い。その際、ファインスキャンにより得られたコマ画像の画像データ量が多いので、間引きした画像データに基づいてコマ画像を表示しても良い。また、ファインスキャン終了後にプレスキャンにより得られたコマ画像を表示しても良い。
【００９５】
また、上記実施形態では、検定処理時に、フィルムモニタ画像２０２、検定画像２０４及びプリントプレビュー画像２０６の３つの画像をディスプレイ１６４に同時に表示する例を示したが、オペレータは各画像の表示／不表示を自由に指定することができる。即ち、１つの画像のみを表示させることはもちろん、上記３つの画像のうち２つを適宜表示させることもできる。
【００９６】
また、上記実施形態では、各コマ画像に対しプレスキャンとファインスキャンの２回の読み取りを行う例を示したが、最初から各コマ画像に対し高解像度でファインスキャンを行うことで、読取回数を１回としても良い。例えば、ファインスキャンのみを行う場合は、画素間引きした画像や階調限定した画像を検定画像２０４として表示しても良い。
【００９７】
また、上記実施形態では、図６に示すようにフィルムモニタ画像２０２、検定画像２０４及びプリントプレビュー画像２０６の３つの画像の関連を、枠線２０８、２１０、２１２によって示す例を説明したが、関連を示す方法はこれに限定されるものではなく、関連するコマ画像の近傍に所定のマーク、文字、記号を表示させても良い。
【００９８】
また、検定画像２０４に同時に表示するコマ数は、図６のように４コマに限定されるものではなく、１〜３コマでも良いし、５コマ以上でも良い。
【００９９】
【発明の効果】
以上説明したように、請求項１記載の発明によれば、検定作業の実行にとって有用な、読取コマ画像、検定コマ画像、出力コマ画像の３種類のコマ画像のうち２つ以上を同時に表示可能となるので、検定作業の円滑化を図ることができる。
【０１００】
また、請求項２記載の発明によれば、同時に表示させた複数種類のコマ画像同士の対応関係をより容易に把握することが可能になる。
【図面の簡単な説明】
【図１】発明の実施形態に係るディジタルラボシステムの概略構成図である。
【図２】ディジタルラボシステムの外観図である。
【図３】ラインＣＣＤスキャナの光学系の概略構成図である。
【図４】ラインＣＣＤスキャナの電気系の概略構成図である。
【図５】画像処理部の概略構成図である。
【図６】フィルムモニタ画像、検定画像及びプリントプレビュー画像の概要を示す図である。
【図７】検定作業時に検定画像とプリントプレビュー画像とを同時に表示した画面を示す図である。
【図８】キーボードの構成図である。
【図９】発明の実施形態における制御ルーチンを示す流れ図である。
【符号の説明】
１０    ディジタルラボシステム
１４    ラインＣＣＤスキャナ
２２    フィルム
３８    フィルムキャリア
１５８  パーソナルコンピュータ
１６０  ＣＰＵ
１６４  ディスプレイ
１６６  キーボード
１７７  マウス
２０２  フィルムモニタ画像（読取コマ画像）
２０４  検定画像（検定コマ画像）
２０６  プリントプレビュー画像（出力コマ画像）
２０８、２１０、２１２  枠線